(57)【要約】【課題】施工現場で構成部材を加工することなくデッキ構造を施工でき、かつ重量増およびコスト増が抑制されたデッキ構造の施工法を提供する。【解決手段】相互に平行に延びる一対の第１フレーム部材２１ａおよび第１フレーム部材２１ａと直交し第１フレーム部材２１ａ同士を連結する複数の第２フレーム部材２１ｂを含む第１フレームユニット２１と、１つの第３フレーム部材３１ａおよび第３フレーム部材３１ａと直交し第３フレーム部材３１ａから相互に平行に延びる複数の第４フレーム部材３１ｂを含む第２フレームユニット３１とを、第１フレーム部材２１ａと第３フレーム部材３１ａとが相互に平行に延びかつ第４フレーム部材３１ｂの突端部が第１フレーム部材２１ａに当接するように配置する。【選択図】図７
2015031109.tif 000002
【特許請求の範囲】
【請求項１】
デッキ構造の施工法であって、
相互に平行に延びる一対の第１フレーム部材と、上記第１フレーム部材と直交し上記第１フレーム部材同士を連結する複数の第２フレーム部材とを含む第１フレームユニットを準備する第１フレームユニット準備工程、
１つの第３フレーム部材と、上記第３フレーム部材と直交し上記第３フレーム部材から相互に平行に延びる複数の第４フレーム部材とを含む第２フレームユニットを準備する第２フレームユニット準備工程、
平板状の床板部材を含む床板ユニットを複数準備する床板ユニット準備工程、
上記第１フレーム部材と上記第３フレーム部材とが相互に平行に延びかつ上記第４フレーム部材の突端部が上記第１フレーム部材に当接するように上記第１フレームユニットおよび上記第２フレームユニットを配置するフレームユニット配置工程、および、
上記フレームユニット配置工程の後、上記第１フレーム部材と上記第２フレーム部材とで囲まれる第１領域と、上記第３フレーム部材と上記第４フレーム部材と上記第１フレーム部材とで囲まれる第２領域とに、各領域を覆うように上記床板ユニットをそれぞれ配置することにより、上記第１、第２フレームユニット上に各床板ユニットの床板部材が連続的に並んだ床板を形成する床板形成工程、を含む、デッキ構造の施工法。
【請求項２】
上記第２フレームユニット準備工程では、複数の第２フレームユニットを準備し、
上記フレームユニット配置工程では、上記複数の第２フレームユニットの各第３フレーム部材が相互に平行に延びかつ一方の第２フレームユニットの第４フレーム部材の突端部が他方の第２フレームユニットの第３フレーム部材に当接するように上記複数の第２フレームユニットを配置し、
上記床板形成工程では、上記第１、第２領域に加えて、上記一方の第２フレームユニットの第３フレーム部材と第４フレーム部材と上記他方の第２フレームユニットの第３フレーム部材とで囲まれる第３領域にも上記床板ユニットを配置する、請求項１に記載のデッキ構造の施工法。
【請求項３】
上記床板ユニット準備工程では、上記床板部材の裏面に所定高さの台部材が設けられた床板ユニットを準備し、
上記フレームユニット配置工程では、施工地盤の上に並べた複数の脚部材の上に第１フレームユニットおよび第２フレームユニットを載置し、
上記床板形成行程では、上記台部材を上記脚部材の上に載置する、請求項１または２に記載のデッキ構造の施工法。
【請求項４】
上記床板ユニット準備工程では、上記台部材は所定長さの長尺部材である床板ユニットを準備し、
上記床板形成工程では、上記台部材を相互に隣接する脚部材間に架け渡して上記脚部材の上に載置する、請求項３に記載のデッキ構造の施工法。
【請求項５】
相互に平行に延びる一対の第１フレーム部材と、上記第１フレーム部材と直交し上記第１フレーム部材同士を連結する複数の第２フレーム部材とを含む第１フレームユニット、
１つの第３フレーム部材と、上記第３フレーム部材と直交し上記第３フレーム部材から相互に平行に延びる複数の第４フレーム部材とを含み、上記第１フレーム部材と上記第３フレーム部材とが相互に平行に延びかつ上記第４フレーム部材の突端部が上記第１フレーム部材に当接するように上記第１フレームユニットに対して配置された第２フレームユニット、および、
平板状の床板部材を含み、上記床板部材が上記第１、第２フレームユニット上に連続的に並んだ床板を形成するように、上記第１フレーム部材と上記第２フレーム部材とで囲まれる第１領域と、上記第３フレーム部材と上記第４フレーム部材と上記第１フレーム部材とで囲まれる第２領域とに、各領域を覆うようにそれぞれ配置された複数の床板ユニット、を有する、デッキ構造。
【発明の詳細な説明】
【技術分野】
【０００１】
本発明は、デッキ構造の施工法およびデッキ構造に関する。
【背景技術】
【０００２】
建物に隣接して屋外に張り出すデッキ構造は、特許文献１に開示されるように、施工地盤の上に配置された複数の脚部材の上に格子状の支持体が載置され、その上に床板が敷設された構造である。従来は、支持体の構成部材である根太や大引を施工現場で切断したり仕上げたり加工する必要があるため、専門のエクステリア業者でないとデッキ構造を施工することが難しかった。
【０００３】
近年、一般の施工業者やユーザでも施工できるように、施工現場で構成部材を加工する必要のないデッキ構造が提案されている。例えば、特許文献２には、次のようなデッキ構造が開示されている。断面形状が矩形の根太（フレーム部材）を４本用いて形成された平面視で正方形状の根太枠（フレームユニット）に、平面視で正方形状の床板部材の裏面に矩形断面をしたロッド状の台部材が組み付けられた構成の床板ユニットが配置されている。そして、このようなフレームユニットに床板ユニットが配置されたユニットの組が複数相互に隣接して配置されることにより、格子状の支持体および床板が形成される。すなわち、デッキ構造が得られる。
【先行技術文献】
【特許文献】
【０００４】
【特許文献１】特開２００５−３４４３７１号公報（図１０）
【特許文献２】特許第３８０３９６７号公報（段落００１２、図１）
【発明の概要】
【発明が解決しようとする課題】
【０００５】
特許文献２に開示のデッキ構造では、フレームユニットの１つ１つが４本のフレーム部材で正方形状に組まれているので、複数のフレームユニットを隣接して配置したとき、接する辺のフレーム部材が二重にダブり、デッキ構造の重量増およびコスト増を招くことになる。
【０００６】
そこで、本発明は、施工現場で構成部材を加工することなくデッキ構造を施工でき、かつ重量増およびコスト増が抑制されたデッキ構造の施工法およびデッキ構造の提供を目的とする。
【課題を解決するための手段】
【０００７】
上記課題を解決するためのものとして、本発明は、デッキ構造の施工法であって、相互に平行に延びる一対の第１フレーム部材と、上記第１フレーム部材と直交し上記第１フレーム部材同士を連結する複数の第２フレーム部材とを含む第１フレームユニットを準備する第１フレームユニット準備工程、１つの第３フレーム部材と、上記第３フレーム部材と直交し上記第３フレーム部材から相互に平行に延びる複数の第４フレーム部材とを含む第２フレームユニットを準備する第２フレームユニット準備工程、平板状の床板部材を含む床板ユニットを複数準備する床板ユニット準備工程、上記第１フレーム部材と上記第３フレーム部材とが相互に平行に延びかつ上記第４フレーム部材の突端部が上記第１フレーム部材に当接するように上記第１フレームユニットおよび上記第２フレームユニットを配置するフレームユニット配置工程、および、上記フレームユニット配置工程の後、上記第１フレーム部材と上記第２フレーム部材とで囲まれる第１領域と、上記第３フレーム部材と上記第４フレーム部材と上記第１フレーム部材とで囲まれる第２領域とに、各領域を覆うように上記床板ユニットをそれぞれ配置することにより、上記第１、第２フレームユニット上に各床板ユニットの床板部材が連続的に並んだ床板を形成する床板形成工程、を含む、デッキ構造の施工法である（請求項１）。
【０００８】
本発明によれば、第１フレームユニットおよび第２フレームユニットを配置した後、第１領域および第２領域に床板ユニットを配置することにより、デッキ構造が施工される。
【０００９】
その上で、本発明によれば、第１フレームユニットは、一対の第１フレーム部材と複数の第２フレーム部材とにより四角形状に組まれているが、第２フレームユニットは、１つの第３フレーム部材と複数の第４フレーム部材とにより四角形状の１辺が開いている。そのため、第１フレームユニットおよび第２フレームユニットを配置したとき、第１フレームユニットと第２フレームユニットとの間には第１フレーム部材だけが介在し、接する辺のフレーム部材が二重にダブることがなく、デッキ構造の重量増およびコスト増が抑制される。
【００１０】
以上により、本発明によれば、施工現場で構成部材を加工することなくデッキ構造を施工でき、かつ重量増およびコスト増が抑制されたデッキ構造の施工法が提供される。
【００１１】
本発明においては、上記第２フレームユニット準備工程では、複数の第２フレームユニットを準備し、上記フレームユニット配置工程では、上記複数の第２フレームユニットの各第３フレーム部材が相互に平行に延びかつ一方の第２フレームユニットの第４フレーム部材の突端部が他方の第２フレームユニットの第３フレーム部材に当接するように上記複数の第２フレームユニットを配置し、上記床板形成工程では、上記第１、第２領域に加えて、上記一方の第２フレームユニットの第３フレーム部材と第４フレーム部材と上記他方の第２フレームユニットの第３フレーム部材とで囲まれる第３領域にも上記床板ユニットを配置することが好ましい（請求項２）。
【００１２】
この構成によれば、第２フレームユニットは、１つの第３フレーム部材と複数の第４フレーム部材とにより四角形状の１辺が開いているため、複数の第２フレームユニットを配置したときもまた、第２フレームユニットと第２フレームユニットとの間には第３フレーム部材だけが介在し、接する辺のフレーム部材が二重にダブることがなく、デッキ構造の重量増およびコスト増が抑制される。
【００１３】
本発明においては、上記床板ユニット準備工程では、上記床板部材の裏面に所定高さの台部材が設けられた床板ユニットを準備し、上記フレームユニット配置工程では、施工地盤の上に並べた複数の脚部材の上に第１フレームユニットおよび第２フレームユニットを載置し、上記床板形成行程では、上記台部材を上記脚部材の上に載置することが好ましい（請求項３）。
【００１４】
この構成によれば、床板部材が台部材および脚部材を介して施工地盤に安定して支持される。
【００１５】
本発明においては、上記床板ユニット準備工程では、上記台部材は所定長さの長尺部材である床板ユニットを準備し、上記床板形成工程では、上記台部材を相互に隣接する脚部材間に架け渡して上記脚部材の上に載置することが好ましい（請求項４）。
【００１６】
この構成によれば、台部材は床板部材を施工地盤に支持するための土台として機能することに加えて、床板部材を上方からの荷重に対して裏面から補強する補強部材としても機能する。
【００１７】
また、本発明は、相互に平行に延びる一対の第１フレーム部材と、上記第１フレーム部材と直交し上記第１フレーム部材同士を連結する複数の第２フレーム部材とを含む第１フレームユニット、１つの第３フレーム部材と、上記第３フレーム部材と直交し上記第３フレーム部材から相互に平行に延びる複数の第４フレーム部材とを含み、上記第１フレーム部材と上記第３フレーム部材とが相互に平行に延びかつ上記第４フレーム部材の突端部が上記第１フレーム部材に当接するように上記第１フレームユニットに対して配置された第２フレームユニット、および、平板状の床板部材を含み、上記床板部材が上記第１、第２フレームユニット上に連続的に並んだ床板を形成するように、上記第１フレーム部材と上記第２フレーム部材とで囲まれる第１領域と、上記第３フレーム部材と上記第４フレーム部材と上記第１フレーム部材とで囲まれる第２領域とに、各領域を覆うようにそれぞれ配置された複数の床板ユニット、を有する、デッキ構造である（請求項５）。
【００１８】
本発明によれば、デッキ構造の施工法に係る発明と同様、施工現場で構成部材を加工することなく施工でき、かつ重量増およびコスト増が抑制されたデッキ構造が提供される。
【発明の効果】
【００１９】
本発明は、施工現場で構成部材を加工することなくデッキ構造を施工でき、かつ重量増およびコスト増が抑制されたデッキ構造の施工法およびデッキ構造を提供するから、デッキ構造の技術の発展および向上に寄与する。
【図面の簡単な説明】
【００２０】
【図１】本発明の実施形態に係るデッキ構造の施工法で用いる脚部材の斜視図である。
【図２】同じく、第１フレームユニットの（ａ）は平面図、（ｂ）は正面図である。
【図３】同じく、第２フレームユニットの（ａ）は平面図、（ｂ）は正面図である。
【図４】同じく、第１床板ユニットの（ａ）は平面図、（ｂ）は側面図、（ｃ）は正面図である。
【図５】同じく、第２床板ユニットの（ａ）は平面図、（ｂ）は側面図、（ｃ）は正面図である。
【図６】本発明の実施形態に係るデッキ構造の施工法における脚部材並置工程を示す平面図である。
【図７】同じく、フレームユニット配置工程を示す平面図である。
【図８】同じく、床板形成工程を示す一部透視の平面図である。
【図９】図８の矢印ＩＸから見たデッキ構造の拡大側面図である。
【図１０】図８の矢印Ｘから見たデッキ構造の部分拡大正面図である。
【発明を実施するための形態】
【００２１】
［１］部材の説明
図１〜図５を参照して、本実施形態に係るデッキ構造１（図８〜図１０参照）の施工法で用いる部材を説明する。図１は脚部材１１、図２は第１フレームユニット２１、図３は第２フレームユニット３１、図４は第１床板ユニット４１、図５は第２床板ユニット５１を示している。
【００２２】
＜脚部材＞
図１に示すように、脚部材１１は、施工地盤Ｇ（図６参照）と接する基部１１ａと、第１フレームユニット２１（図２参照）、第２フレームユニット３１（図３参照）、第１床板ユニット４１の台部材４３（図４参照）、および第２床板ユニット５１の台部材５３（図５参照）を支持する支持部１１ｂとを含んでいる。基部１１ａおよび支持部１１ｂは樹脂製である。
【００２３】
支持部１１ｂは、基部１１ａに対して螺合しており、回転することにより高さ調節が可能に構成されている。支持部１１ｂは、正方形状の支持面を有し、支持面に複数（図例では８つ）の係合孔１１ｃが形成されている。係合孔１１ｃに係合ピン１１ｄが着脱自在に取り付けられる。取り付けられた係合ピン１１ｄは支持面から上方に立設される。必ずしも常に全ての係合孔１１ｃに係合ピン１１ｄが取り付けられるわけではなく、脚部材１１の配置場所に応じて必要な箇所の係合ピン１１ｄのみが取り付けられる。係合ピン１１ｄは、第１フレームユニット２１、第２フレームユニット３１、第１床板ユニット４１の台部材４３、および第２床板ユニット５１の台部材５３を脚部材１１に固定するためのものである。
【００２４】
この脚部材１１を複数準備する工程は、後述する「［２］デッキ構造の施工法」における＜脚部材準備工程＞である。
【００２５】
＜第１フレームユニット＞
図２に示すように、第１フレームユニット２１は、相互に平行に延びる一対の第１フレーム部材２１ａと、第１フレーム部材２１ａと直交し、第１フレーム部材２１ａ同士を連結する複数（図例では３つ）の第２フレーム部材２１ｂとを含んでいる。
【００２６】
フレーム部材２１ａ，２１ｂは、樹脂製の長尺部材であり、断面形状がロ字状の平断面構造を持った剛性部材である。第２フレーム部材２１ｂは、第１フレーム部材２１ａの一方の端部（図面において左の端部）と、その端部から他方の端部に向かって第１フレーム部材２１ａの全長の３分の１の距離だけ離間した部位と、その部位からさらに他方の端部に向かって第１フレーム部材２１ａの全長の３分の１の距離だけ離間した部位とに配置されている。
【００２７】
第１フレーム部材２１ａと第２フレーム部材２１ｂとで囲まれる四角形状の領域を第１領域Ｒ１とする。第１フレームユニット２１は、単独で２つの第１領域Ｒ１を有している。
【００２８】
第１フレームユニット２１の開いた端部（図面において右の端部）に、例えば他の第１フレームユニット２１の閉じた端部が当接すると、第１フレームユニット２１は他の第１フレームユニット２１と協働して３つ目の第１領域Ｒ１を持つことになる（図７の符号Ｒ１参照）。
【００２９】
図２（ａ）に「・」で示すように、第１フレーム部材２１ａの両端部および第１フレーム部材２１ａにおける第２フレーム部材２１ｂとの連結部の近傍には、脚部材１１の係合ピン１１ｄが嵌入する小径の孔が形成されている。なお、図２（ａ）の「・」は小径の孔の位置を示すものであり、実際には小径の孔は第１フレーム部材２１ａの裏面に形成されている。
【００３０】
この第１フレームユニット２１を準備する工程は、後述する「［２］デッキ構造の施工法」における＜第１フレームユニット準備工程＞である。
【００３１】
＜第２フレームユニット＞
図３に示すように、第２フレームユニット３１は、１つの第３フレーム部材３１ａと、第３フレーム部材３１ａと直交し、第３フレーム部材３１ａから相互に平行に延びる複数（図例では３つ）の第４フレーム部材３１ｂとを含んでいる。
【００３２】
図２（ａ）に示す第１フレームユニット２１の全幅（＝第２フレーム部材２１ｂの長さ＋第１フレーム部材２１ａの幅×２）と、図３（ａ）に示す第２フレームユニット３１の全幅（＝第４フレーム部材３１ｂの長さ＋第３フレーム部材３１ａの幅）とは、相互に同じ長さに設定されている。第４フレーム部材３１ｂの長さは、第２フレーム部材２１ｂの長さよりも、第１フレーム部材２１ａの幅の分だけ長く設定されている。第３フレーム部材３１ａの長さは、第１フレーム部材２１ａの長さと、同じ長さに設定されている。
【００３３】
フレーム部材３１ａ，３１ｂは、樹脂製の長尺部材であり、断面形状がロ字状の平断面構造を持った剛性部材である。第４フレーム部材３１ｂは、第３フレーム部材３１ａの一方の端部（図面において左の端部）と、その端部から他方の端部に向かって第３フレーム部材３１ａの全長の３分の１の距離だけ離間した部位と、その部位からさらに他方の端部に向かって第３フレーム部材３１ａの全長の３分の１の距離だけ離間した部位とに配置されている。
【００３４】
前述のように（図２参照）、第１フレームユニット２１は、一対の第１フレーム部材２１ａと３つの第２フレーム部材２１ｂとにより四角形状に組まれており、単独で２つの第１領域Ｒ１を有しているが、この第２フレームユニット３１は、１つの第３フレーム部材３１ａと３つの第４フレーム部材３１ｂとにより四角形状の１辺（図面において下の辺）が開いている。
【００３５】
第２フレームユニット３１の開いた辺（図面において下の辺）に、例えば第１フレームユニット２１の第１フレーム部材２１ａが当接すると、第２フレームユニット３１は第１フレームユニット２１と協働して２つの第２領域Ｒ２（第３フレーム部材３１ａと第４フレーム部材３１ｂと第１フレーム部材２１ａとで囲まれる四角形状の領域をいう）を持つことになる（図７の符号Ｒ２参照）。
【００３６】
さらに、この状態で、第２フレームユニット３１の開いた端部（図面において右の端部）に、例えば他の第２フレームユニット３１の閉じた端部が当接すると、第２フレームユニット３１は他の第２フレームユニット３１と協働して３つ目の第２領域Ｒ２を持つことになる（図７の符号Ｒ２参照）。
【００３７】
第２フレームユニット３１の開いた辺（図面において下の辺）に、他の第２フレームユニット３１の第３フレーム部材３１ａが当接すると、第２フレームユニット３１は他の第２フレームユニット３１と協働して２つの第３領域Ｒ３（第３フレーム部材３１ａと第４フレーム部材３１ｂと他の第２フレームユニット３１の第３フレーム部材３１ａとで囲まれる四角形状の領域をいう）を持つことになる（図７の符号Ｒ３参照）。
【００３８】
さらに、この状態で、第２フレームユニット３１の開いた端部（図面において右の端部）に、例えば他の第２フレームユニット３１の閉じた端部が当接すると、第２フレームユニット３１は他の第２フレームユニット３１と協働して３つ目の第３領域Ｒ３を持つことになる（図７の符号Ｒ３参照）。
【００３９】
図３（ａ）に「・」で示すように、第３フレーム部材３１ａの両端部および第３フレーム部材３１ａにおける第４フレーム部材３１ｂとの連結部の近傍には、脚部材１１の係合ピン１１ｄが嵌入する小径の孔が形成されている。なお、図３（ａ）の「・」は小径の孔の位置を示すものであり、実際には小径の孔は第３フレーム部材３１ａの裏面に形成されている。
【００４０】
この第２フレームユニット３１を準備する工程は、後述する「［２］デッキ構造の施工法」における＜第２フレームユニット準備工程＞である。
【００４１】
＜第１床板ユニット＞
図４に示すように、第１床板ユニット４１は、平板状の床板部材４２と、床板部材４２の裏面に設けられた所定長さおよび所定高さの台部材４３とを含んでいる。床板部材４２および台部材４３は樹脂製である。
【００４２】
床板部材４２は、３つの長方形状の床板構成部材４２ａが連結されて平面視で略正方形状に形成されている。床板部材４２は、上記第１領域Ｒ１を覆うことが可能な面積を有している。すなわち、床板部材４２の縦の長さ（３つの床板構成部材４２ａの連結方向の長さ）は、図２（ａ）に示す第１フレームユニット２１の全幅（＝第２フレーム部材２１ｂの長さ＋第１フレーム部材２１ａの幅×２）と略同じ長さに設定されている。また、床板部材４２の横の長さ（床板構成部材４２ａの長手方向の長さ）は、図２（ａ）に示す第１フレームユニット２１の第２フレーム部材２１ｂ間の間隔（ピッチ）と略同じ長さに設定されている。もっとも、本実施形態では、床板部材４２は略正方形状に形成されているので、床板部材４２の縦の長さと横の長さとは略等しい。
【００４３】
台部材４３は、所定長さを有する長尺部材であり、断面形状が矩形の四角柱状である。台部材４３は、床板部材４２の縦の長さ方向に延びるように配置されて、床板部材４２の裏面にビスで固定されている。具体的に、相互に平行に配置された一対の台部材４３が所定の間隔を空けて床板部材４２の裏面に組み付けられている。
【００４４】
台部材４３の長さは、第２フレーム部材２１ｂの長さと同じか若干短い長さに設定されている。一対の台部材４３の外側の側面間の長さは、相互に隣接する第２フレーム部材２１ｂの対向面間の間隔と同じか若干短い長さに設定されている。この第１床板ユニット４１は、第１フレームユニット２１への配置に適している。つまり、第１床板ユニット４１を第１フレームユニット２１に配置すると、台部材４３の長さが第２フレーム部材２１ｂの長さと略同じであるため、その配置にガタツキが生じない。これに対し、第１床板ユニット４１を第２フレームユニット３１に配置すると、台部材４３の長さが第４フレーム部材３１ｂの長さよりも短いため、その配置にガタツキが生じる。
【００４５】
台部材４３の高さは、第１フレーム部材２１ａや第２フレーム部材２１ｂの高さと同じか若干高い高さに設定されている。
【００４６】
図４（ａ）に「・」で示すように、台部材４３の両端部には、脚部材１１の係合ピン１１ｄが嵌入する小径の孔が形成されている。なお、図４（ａ）の「・」は小径の孔の位置を示すものであり、実際には小径の孔は台部材４３の裏面に形成されている。
【００４７】
この第１床板ユニット４１を準備する工程は、後述する「［２］デッキ構造の施工法」における＜第１床板ユニット準備工程＞である。
【００４８】
＜第２床板ユニット＞
図５に示すように、第２床板ユニット５１は、平板状の床板部材５２と、床板部材５２の裏面に設けられた所定長さおよび所定高さの台部材５３とを含んでいる。床板部材５２および台部材５３は樹脂製である。
【００４９】
床板部材５２は、３つの長方形状の床板構成部材５２ａが連結されて平面視で略正方形状に形成されている。床板部材５２は、上記第２領域Ｒ２および第３領域Ｒ３を覆うことが可能な面積を有している。すなわち、床板部材５２の縦の長さ（３つの床板構成部材５２ａの連結方向の長さ）は、図３（ａ）に示す第２フレームユニット３１の全幅（＝第４フレーム部材３１ｂの長さ＋第３フレーム部材３１ａの幅）と略同じ長さに設定されている。また、床板部材５２の横の長さ（床板構成部材５２ａの長手方向の長さ）は、図３（ａ）に示す第２フレームユニット３１の第４フレーム部材３１ｂ間の間隔（ピッチ）と略同じ長さに設定されている。もっとも、本実施形態では、床板部材５２は略正方形状に形成されているので、床板部材５２の縦の長さと横の長さとは略等しい。
【００５０】
台部材５３は、所定長さを有する長尺部材であり、断面形状が矩形の四角柱状である。台部材５３は、床板部材５２の縦の長さ方向に延びるように配置されて、床板部材５２の裏面にビスで固定されている。具体的に、相互に平行に配置された一対の台部材５３が所定の間隔を空けて床板部材５２の裏面に組み付けられている。
【００５１】
台部材５３の長さは、第４フレーム部材３１ｂの長さと同じか若干短い長さに設定されている。一対の台部材５３の外側の側面間の長さは、相互に隣接する第４フレーム部材３１ｂの対向面間の間隔と同じか若干短い長さに設定されている。この第２床板ユニット５１は、第２フレームユニット３１への配置に適している。つまり、第２床板ユニット５１を第２フレームユニット３１に配置すると、台部材５３の長さが第４フレーム部材３１ｂの長さと略同じであるため、その配置にガタツキが生じない。これに対し、第２床板ユニット５１を第１フレームユニット２１に配置しようとしても、台部材５３の長さが第２フレーム部材２１ｂの長さよりも長いため、配置することができない。
【００５２】
台部材５３の高さは、第３フレーム部材３１ａや第４フレーム部材３１ｂの高さと同じか若干高い高さに設定されている。
【００５３】
図５（ａ）に「・」で示すように、台部材５３の両端部には、脚部材１１の係合ピン１１ｄが嵌入する小径の孔が形成されている。なお、図５（ａ）の「・」は小径の孔の位置を示すものであり、実際には小径の孔は台部材５３の裏面に形成されている。
【００５４】
この第２床板ユニット５１を準備する工程は、後述する「［２］デッキ構造の施工法」における＜第２床板ユニット準備工程＞である。
【００５５】
［２］デッキ構造の施工法
図６〜図１０を参照して、本実施形態に係るデッキ構造１の施工法を説明する。ただし、前述した＜脚部材準備工程＞、＜第１フレームユニット準備工程＞、＜第２フレームユニット準備工程＞、＜第１床板ユニット準備工程＞、および＜第２床板ユニット準備工程＞は説明を省略する。
【００５６】
＜脚部材並置工程＞
まず、図６に示すように、施工地盤Ｇの上に複数の脚部材１１を並置する。本実施形態では、２８個の脚部材１１が４列×７段に並置される。図面上、横方向に延びる並びを列、縦方向に延びる並びを段という。そして、図面上、下から上に向かって順に第１列、第２列…、左から右に向かって順に第１段、第２段…とする。
【００５７】
脚部材１１は正方形状の支持面を上方に向けて略等間隔に縦横に並べられる。第１フレームユニット２１、第２フレームユニット３１、第１床板ユニット４１の台部材４３、および第２床板ユニット５１の台部材５３を脚部材１１に固定するため、支持面に形成された８つの係合孔１１ｃ（図６の「・」参照）のうちのいくつかに係合ピン１１ｄが取り付けられている。取り付けられた係合ピン１１ｄは支持面から上方に立設されている。
【００５８】
＜フレームユニット配置工程＞
次に、図６および図７に示すように、脚部材１１の支持面の上に第１フレームユニット２１および第２フレームユニット３１を載置する。本実施形態では、６つのフレームユニット２１，３１が３列×２段に載置される。
【００５９】
具体的に、第１列・第１〜４段の脚部材１１と第２列・第１〜４段の脚部材１１とに第１列・第１段のフレームユニットとして１つ目の第１フレームユニット２１が載置され、第１列・第４〜７段の脚部材１１と第２列・第４〜７段の脚部材１１とに第１列・第２段のフレームユニットとして２つ目の第１フレームユニット２１が載置される。
【００６０】
同様に、第２列・第１〜４段の脚部材１１と第３列・第１〜４段の脚部材１１とに第２列・第１段のフレームユニットとして１つ目の第２フレームユニット３１が載置され、第２列・第４〜７段の脚部材１１と第３列・第４〜７段の脚部材１１とに第２列・第２段のフレームユニットとして２つ目の第２フレームユニット３１が載置される。
【００６１】
さらに、第３列・第１〜４段の脚部材１１と第４列・第１〜４段の脚部材１１とに第３列・第１段のフレームユニットとして３つ目の第２フレームユニット３１が載置され、第３列・第４〜７段の脚部材１１と第４列・第４〜７段の脚部材１１とに第３列・第２段のフレームユニットとして４つ目の第２フレームユニット３１が載置される。
【００６２】
これにより、第１列の第１フレームユニット２１と第２列の第２フレームユニット３１との間では、第１フレーム部材２１ａと第３フレーム部材３１ａとが相互に平行に延びかつ第４フレーム部材３１ｂの突端部（第４フレーム部材３１ｂにおける反第３フレーム部材３１ａ側の端部をいう）が第１フレーム部材２１ａに当接するように第１フレームユニット２１および第２フレームユニット３１が配置される。
【００６３】
また、第２列の第２フレームユニット３１と第３列の第２フレームユニット３１との間では、２つの第３フレーム部材３１ａが相互に平行に延びかつ第４フレーム部材３１ｂの突端部が他の第２フレームユニット３１の第３フレーム部材３１ａに当接するように２つの第２フレームユニット３１が配置される。
【００６４】
さらに、第１段のフレームユニット２１，３１と第２段のフレームユニット２１，３１との間では、第１段のフレームユニット２１，３１の開いた端部に第２段のフレームユニット２１，３１の閉じた端部が当接する。
【００６５】
以上により、脚部材１１の支持面の上に格子状の支持体２が形成される。この支持体２は、６つの第１領域Ｒ１と６つの第２領域Ｒ２と６つの第３領域Ｒ３とを有する。厳密には、図６および図７において最も右の領域はフレーム部材で囲まれていないので第１領域Ｒ１〜第３領域Ｒ３とはいえないが、右の端部にフレーム部材２１ｂ，３１ｂを有するフレームユニット２１，３１を用いれば済むことなので、本実施形態では、最も右の領域も第１領域Ｒ１〜第３領域Ｒ３に含める。
【００６６】
脚部材１１は、各フレームユニット２１，３１の端部、角部、第１フレーム部材２１ａと第２フレーム部材２１ｂとの連結部、第３フレーム部材３１ａと第４フレーム部材３１ｂとの連結部、相互に隣接するフレームユニット２１，３１間の当接部などに配置される。
【００６７】
その際、各フレームユニット２１，３１には、図７に「・」で示した箇所に、脚部材１１の係合ピン１１ｄが嵌入する小径の孔が形成されている（図２（ａ）および図３（ａ）参照）。そして、脚部材１１の支持面には、上記孔に対応する箇所に係合ピン１１ｄが取り付けられている。脚部材１１の支持面の上に載置されたフレームユニット２１，３１は、脚部材１１側の係合ピン１１ｄがフレームユニット２１，３１側の上記孔に嵌入することにより、脚部材１１に固定される。なお、図７のフレームユニット２１，３１の「・」は小径の孔の位置を示すものであり、実際には小径の孔はフレーム部材２１ａ，３１ａの裏面に形成されている。
【００６８】
図６および図７から明らかなように、脚部材１１の支持面の上にフレームユニット２１，３１が載置された状態において、脚部材１１は、平面視で支持体２から外方へ食み出さないように配置される。また、脚部材１１の支持面の一部が、平面視で第１領域Ｒ１〜第３領域Ｒ３の中に残存し、特に第１領域Ｒ１〜第３領域Ｒ３の角部に残存している。後述するように、次の床板形成工程では、床板ユニット４１，５２の台部材４３，５３がこの第１領域Ｒ１〜第３領域Ｒ３の角部に残存する脚部材１１の支持面の上に載置され固定される。
【００６９】
＜床板形成工程＞
次に、図８〜図１０に示すように、支持体２を形成する第１フレームユニット２１および第２フレームユニット３１に第１床板ユニット４１および第２床板ユニット５１を配置する。本実施形態では、１８個の床板ユニット４１，５１が３列×６段に配置される。なお、図８は、理解の容易のために、第１〜３段の床板ユニット４１，５１の床板部材４２，５２を透視して描いてある。
【００７０】
具体的に、第１列の第１フレームユニット２１には、第１領域Ｒ１を覆うことが可能な面積を有する床板部材４２を含む第１床板ユニット４１が配置される。第２列および第３列の第２フレームユニット３１には、第２領域Ｒ２および第３領域Ｒ３を覆うことが可能な面積を有する床板部材５２を含む第２床板ユニット５１が配置される。
【００７１】
各フレームユニット２１，３１には、第１フレーム部材２１ａまたは第３フレーム部材３１ａの延びる方向に第１領域Ｒ１〜第３領域Ｒ３が３つずつ並んで形成されている。そのため、１つの領域Ｒ１〜Ｒ３を１つの床板部材４２，５２が覆うように、各フレームユニット２１，３１には、第１フレーム部材２１ａまたは第３フレーム部材３１ａの延びる方向に床板ユニット４１，５１が３つずつ並んで配置される。
【００７２】
以上により、支持体２を形成する第１フレームユニット２１および第２フレームユニット３１の上に床板部材４２，５２が連続的に並び、床板３が形成される。このようなフレームユニット２１，３１に床板ユニット４１，５１が配置されたユニットの組が６組３列×２段に相互に隣接して配置されることにより、支持体２および床板３が形成され、デッキ構造１が完成する。完成したデッキ構造１には、図示しないが、最終的に、支持体２および床板３の周縁部を隠す幕板（化粧板）が組み付けられる。幕板は、例えば、フレームユニット２１，３１の適宜の縦面にビスで固定される。
【００７３】
フレームユニット２１，３１に床板ユニット４１，５１を配置する際、床板ユニット４１，５１の台部材４３，５３は、図８から明らかなように、フレームユニット２１，３１の中に隙間なく嵌合し、第１領域Ｒ１〜第３領域Ｒ３にガタツキなくしっくりと収容される。これは、「［１］部材の説明」で述べたように、台部材４３，５３の長さが、第２フレーム部材２１ｂまたは第４フレーム部材３１ｂの長さと同じか若干短い長さに設定されているからである。また、一対の台部材４３，５３の外側の側面間の長さが、相互に隣接する第２フレーム部材２１ｂまたは第４フレーム部材３１ｂの対向面間の間隔と同じか若干短い長さに設定されているからである。
【００７４】
フレームユニット２１，３１に床板ユニット４１，５１を配置する際、床板ユニット４１，５１の台部材４３，５３は、図７から明らかなように、第１領域Ｒ１〜第３領域Ｒ３の角部に残存する脚部材１１の支持面の上に載置される。これは、「［１］部材の説明」で述べたように、台部材４３，５３の高さが、第１フレーム部材２１ａや第２フレーム部材２１ｂまたは第３フレーム部材３１ａや第４フレーム部材３１ｂの高さと同じか若干高い高さに設定されているからである。
【００７５】
特に、本実施形態では、台部材４３，５３は所定長さを有する長尺部材であるため、相互に隣接する一対の脚部材１１間に架け渡されて上記脚部材１１の支持面の上に載置される。
【００７６】
台部材４３，５３は、床板ユニット４１，５１を脚部材１１の支持面の上に支持する際の土台としての機能、各フレーム部材２１ａ，２１ｂ，３１ａ，３１ｂと協働して床板ユニット４１，５１を支持体２に敷設するときの横ブレ（列方向および段方向のブレ）を防止する案内部材としての機能、および床板部材４２，５３を上方からの荷重に対して裏面から補強する補強部材としての機能を有する。
【００７７】
その際、台部材４３，５３には、図４（ａ）および図５（ａ）に「・」で示した箇所に、脚部材１１の係合ピン１１ｄが嵌入する小径の孔が形成されている。そして、脚部材１１の支持面には、上記孔に対応する箇所に係合ピン１１ｄが取り付けられている。脚部材１１の支持面の上に載置された台部材４３，５３は、脚部材１１側の係合ピン１１ｄが台部材４３，５３側の上記孔に嵌入することにより、脚部材１１に固定される。
【００７８】
［３］デッキ構造
以上のような施工法で施工されたデッキ構造１（図８〜図１０参照）は、次のような構成を有する。
【００７９】
すなわち、デッキ構造１は、格子状の支持体２の上に床板３が敷設された構造である。
【００８０】
デッキ構造１は、第１フレームユニット２１と、第２フレームユニット３１と、第１床板ユニット４１と、第２床板ユニット５１とを有する。
【００８１】
第１フレームユニット２１は、相互に平行に延びる一対の第１フレーム部材２１ａと、第１フレーム部材２１ａと直交し、第１フレーム部材２１ａ同士を連結する３つの第２フレーム部材２１ｂとを含んでいる。
【００８２】
第２フレームユニット３１は、１つの第３フレーム部材３１ａと、第３フレーム部材３１ａと直交し、第３フレーム部材３１ａから相互に平行に延びる３つの第４フレーム部材３１ｂとを含んでいる。第２フレームユニット３１は、第１フレーム部材２１ａと第３フレーム部材３１ａとが相互に平行に延び、かつ第４フレーム部材３１ｂの突端部が第１フレーム部材２１ａに当接するように第１フレームユニット２１に対して配置されている。第２フレームユニット３１は、第３フレーム部材３１ａと第３フレーム部材３１ａとが相互に平行に延び、かつ第４フレーム部材３１ｂの突端部が他の第２フレームユニット３１の第３フレーム部材３１ａに当接するように第２フレームユニット３１に対して配置されている。
【００８３】
第１床板ユニット４１は、第１フレーム部材２１ａと第２フレーム部材２１ｂとで囲まれる第１領域Ｒ１を覆うことが可能な面積を有する平板状の床板部材４２を含んでいる。
【００８４】
第２床板ユニット５１は、第３フレーム部材３１ａと第４フレーム部材３１ｂと第１フレーム部材２１ａとで囲まれる第２領域Ｒ２、および第３フレーム部材３１ａと第４フレーム部材３１ｂと他の第２フレームユニット３１の第３フレーム部材３１ａとで囲まれる第３領域Ｒ３を覆うことが可能な面積を有する平板状の床板部材５２を含んでいる。
【００８５】
第１床板ユニット４１および第２床板ユニット５１は、床板部材４２，５２が連続的に並んで床板３を形成するように第１フレームユニット２１および第２フレームユニット３１にそれぞれ３つずつ配置されている。
【００８６】
［４］作用
以上のように、本実施形態に係るデッキ構造１の施工法は、格子状の支持体２の上に床板３が敷設されたデッキ構造１（図８〜図１０）の施工法であって、第１フレームユニット準備工程、第２フレームユニット準備工程、床板ユニット準備工程、フレームユニット配置工程、および床板形成工程、を含む。
【００８７】
第１フレームユニット準備工程は、相互に平行に延びる一対の第１フレーム部材２１ａと、上記第１フレーム部材２１ａと直交し上記第１フレーム部材２１ａ同士を連結する複数の第２フレーム部材２１ｂとを含む第１フレームユニット２１（図２）を準備する工程である。
【００８８】
第２フレームユニット準備工程は、１つの第３フレーム部材３１ａと、上記第３フレーム部材３１ａと直交し上記第３フレーム部材３１ａから相互に平行に延びる複数の第４フレーム部材３１ｂとを含む第２フレームユニット３１（図３）を準備する工程である。
【００８９】
床板ユニット準備工程は、平板状の床板部材４２，５２を含む床板ユニット４１，５１（図４および図５）を複数準備する工程である。
【００９０】
フレームユニット配置工程は、上記第１フレーム部材２１ａと上記第３フレーム部材３１ａとが相互に平行に延びかつ上記第４フレーム部材３１ｂの突端部が上記第１フレーム部材２１ａに当接するように上記第１フレームユニット２１および上記第２フレームユニット３１を配置する工程である（図６および図７）。
【００９１】
床板形成工程は、上記フレームユニット配置工程の後、上記第１フレーム部材２１ａと上記第２フレーム部材２１ｂとで囲まれる第１領域Ｒ１と、上記第３フレーム部材３１ａと上記第４フレーム部材３１ｂと上記第１フレーム部材２１ａとで囲まれる第２領域Ｒ２とに、各領域Ｒ１，Ｒ２を覆うように上記床板ユニット４１，５１をそれぞれ配置することにより、上記第１、第２フレームユニット２１，３１上に各床板ユニット４１，５１の床板部材４２，５２が連続的に並んだ床板３を形成する工程である（図８〜図１０）。
【００９２】
本実施形態によれば、第１フレームユニット２１および第２フレームユニット３１を配置した後、第１領域Ｒ１および第２領域Ｒ２に床板ユニット４１，５１を配置することにより、デッキ構造１が施工される。
【００９３】
本実施形態によれば、第１フレームユニット２１は、一対の第１フレーム部材２１ａと複数の第２フレーム部材２１ｂとにより四角形状に組まれているが（図２）、第２フレームユニット３１は、１つの第３フレーム部材３１ａと複数の第４フレーム部材３１ｂとにより四角形状の１辺が開いている（図３）。そのため、第１フレームユニット２１および第２フレームユニット３１を配置したとき（図６および図７）、第１列の第１フレームユニット２１と第２列の第２フレームユニット３１との間には第１フレーム部材２１ａだけが介在し、接する辺のフレーム部材が二重にダブることがなく、デッキ構造１の重量増およびコスト増が抑制される。
【００９４】
以上により、本実施形態によれば、施工現場で構成部材を加工することなくデッキ構造１を施工でき、かつ重量増およびコスト増が抑制されたデッキ構造１の施工法が提供される。
【００９５】
本実施形態においては、上記第２フレームユニット準備工程では、複数の第２フレームユニット３１を準備し、上記フレームユニット配置工程では、上記複数の第２フレームユニット３１の各第３フレーム部材３１ａが相互に平行に延びかつ一方の第２フレームユニット３１（第３列の第２フレームユニット３１）の第４フレーム部材３１ｂの突端部が他方の第２フレームユニット３１（第２列の第２フレームユニット３１）の第３フレーム部材３１ａに当接するように上記複数の第２フレームユニット３１を配置し（図６および図７）、上記床板形成工程では、上記第１、第２領域Ｒ１，Ｒ２に加えて、上記一方の第２フレームユニット３１の第３フレーム部材３１ａと第４フレーム部材３１ｂと上記他方の第２フレームユニット３１の第３フレーム部材３１ａとで囲まれる第３領域Ｒ３にも上記床板ユニット５１（図５）を配置する。
【００９６】
この構成によれば、第２フレームユニット３１は、１つの第３フレーム部材３１ａと複数の第４フレーム部材３１ｂとにより四角形状の１辺が開いている（図３）ため、複数の第２フレームユニット３１を配置したとき（図６および図７）もまた、第２列の第２フレームユニット３１と第３列の第２フレームユニット３１との間には第３フレーム部材３１ａだけが介在し、接する辺のフレーム部材が二重にダブることがなく、デッキ構造１の重量増およびコスト増が抑制される。
【００９７】
本実施形態においては、上記床板ユニット準備工程では、上記床板部材４２，５２の裏面に所定高さの台部材４３，５３が設けられた床板ユニット４１，５１を準備し（図４および図５）、上記フレームユニット配置工程では、施工地盤Ｇの上に並べた複数の脚部材１１の上に第１フレームユニット２１および第２フレームユニット３１を載置し（図６および図７）、上記床板形成行程では、上記台部材４３，５３を上記脚部材１１の上に載置する（図８）。
【００９８】
この構成によれば、床板部材４２，５２が台部材４３，５３および脚部材１１を介して施工地盤Ｇに安定して支持される。
【００９９】
本実施形態においては、上記床板ユニット準備工程では、上記台部材４３，５３は所定長さの長尺部材である床板ユニット４１，５１を準備し（図４および図５）、上記床板形成工程では、上記台部材４３，５３を相互に隣接する脚部材１１間に架け渡して上記脚部材１１の上に載置する（図８）。
【０１００】
この構成によれば、台部材４３，５３は床板部材４２，５２を施工地盤Ｇに支持するための土台として機能することに加えて、床板部材４２，５２を上方からの荷重に対して裏面から補強する補強部材としても機能する。
【０１０１】
また、本実施形態に係るデッキ構造１は、格子状の支持体２の上に床板３が敷設されたデッキ構造１（図８〜図１０）であって、第１フレームユニット２１、第２フレームユニット３１、および複数の床板ユニット４１，５１、を有する。
【０１０２】
第１フレームユニット２１は、相互に平行に延びる一対の第１フレーム部材２１ａと、上記第１フレーム部材２１ａと直交し上記第１フレーム部材２１ａ同士を連結する複数の第２フレーム部材２１ｂとを含んでいる（図２）。
【０１０３】
第２フレームユニット３１は、１つの第３フレーム部材３１ａと、上記第３フレーム部材３１ａと直交し上記第３フレーム部材３１ａから相互に平行に延びる複数の第４フレーム部材３１ｂとを含み（図３）、上記第１フレーム部材２１ａと上記第３フレーム部材３１ａとが相互に平行に延びかつ上記第４フレーム部材３１ｂの突端部が上記第１フレーム部材２１ａに当接するように上記第１フレームユニット２１に対して配置されている（図６および図７）。
【０１０４】
複数の床板ユニット４１，５１は、平板状の床板部材４２，５２を含み（図４および図５）、上記床板部材４２，５２が上記第１、第２フレームユニット２１，３１上に連続的に並んだ床板３を形成するように（図８〜図１０）、上記第１フレーム部材２１ａと上記第２フレーム部材２１ｂとで囲まれる第１領域Ｒ１（図７および図８）と、上記第３フレーム部材３１ａと上記第４フレーム部材３１ｂと上記第１フレーム部材２１ａとで囲まれる第２領域Ｒ２（図７および図８）とに、各領域Ｒ１，Ｒ２を覆うようにそれぞれ配置されている。
【０１０５】
本実施形態によれば、デッキ構造１の施工法に係る実施形態と同様、施工現場で構成部材を加工することなく施工でき、かつ重量増およびコスト増が抑制されたデッキ構造１が提供される。
【０１０６】
［５］他の実施形態
第１フレームユニット２１は、相互に平行に延びる一対の第１フレーム部材２１ａと、第１フレーム部材２１ａと直交し第１フレーム部材２１ａ同士を連結する複数の第２フレーム部材２１ｂとを含む限り、図２に示す構造に限定されない。例えば、第２フレーム部材２１ｂ間のピッチが一定でなくてもよく、図２において左の端部が開いていてもよく、図２において右の端部が閉じていてもよい。
【０１０７】
第２フレームユニット３１は、１つの第３フレーム部材３１ａと、第３フレーム部材３１ａと直交し第３フレーム部材３１ａから相互に平行に延びる複数の第４フレーム部材３１ｂとを含む限り、図３に示す構造に限定されない。例えば、第４フレーム部材３１ｂ間のピッチが一定でなくてもよく、図３において左の端部に第４フレーム部材３１ｂが配置されていなくてもよく、図３において右の端部に第４フレーム部材３１ｂが配置されていてもよい。
【０１０８】
第１フレームユニット２１および第２フレームユニット３１の配置は、第１フレーム部材２１ａと第３フレーム部材３１ａとが相互に平行に延びかつ第４フレーム部材３１ｂの突端部が第１フレーム部材２１ａに当接する限り、図６および図７に示す配置に限定されない。例えば、図６および図７においてもう一方の第１フレーム部材２１ａにも第２フレームユニット３１の第４フレーム部材３１ｂの突端部を当接させることができる。
【０１０９】
複数の第２フレームユニット３１の配置は、複数の第３フレーム部材３１ａが相互に平行に延びかつ第４フレーム部材３１ｂの突端部が他の第２フレームユニット３１の第３フレーム部材３１ａに当接する限り、図６および図７に示す配置に限定されない。例えば、図６および図７において第３列・第２段の第２フレームユニット３１の第３フレーム部材３１ａにのみさらに第４列・第２段の第２フレームユニット３１の第４フレーム部材３１ｂの突端部を当接させることができる。
【０１１０】
全幅が相互に異なる第１フレームユニット２１、全幅が相互に異なる第２フレームユニト３１、全長が相互に異なる第１フレームユニット２１、全長が相互に異なる第２フレームユニット３１、第２フレーム部材２１ｂの数が相互に異なる第１フレームユニット２１、第４フレーム部材３１ｂの数が相互に異なる第２フレームユニット３１などを種々混在させて配置しても構わない。
【０１１１】
台部材４３，５３は、必ずしも、長尺部材である必要はない。つまり、台部材４３，５３は、例えば、フレームユニット２１，３１に床板ユニット４１，５１を配置する際、第１領域Ｒ１〜第３領域Ｒ３の角部に同時に位置して脚部材１１の支持面の上に載置される４つの柱状部材などとすることもできる。
【０１１２】
台部材４３，５３は、脚部材１１の支持面の上に載置される際、必ずしも、脚部材１１に固定されなくてもよい。つまり、台部材４３，５３の裏面に脚部材１１の係合ピン１１ｄが嵌入する小径の孔を形成せず、脚部材１１の支持面には、上記台部材４３，５３が載置される箇所に係合ピン１１ｄを取り外しておき、脚部材１１の支持面の上に台部材４３，５３を載置するだけでもよい。
【符号の説明】
【０１１３】
１      デッキ構造
２      支持体
３      床板
１１    脚部材
１１ａ  基部
１１ｂ  支持部
１１ｃ  係合孔
１１ｄ  係合ピン
２１    第１フレームユニット
２１ａ  第１フレーム部材
２１ｂ  第２フレーム部材
３１    第２フレームユニット
３１ａ  第３フレーム部材
３１ｂ  第４フレーム部材
４１    第１床板ユニット
４２    床板部材
４３    台部材
５１    第２床板ユニット
５２    床板部材
５３    台部材
Ｇ      施工地盤
Ｒ１    第１領域
Ｒ２    第２領域
Ｒ３    第３領域
【図１】
2015031109.tif 000003
【図２】
2015031109.tif 000004
【図３】
2015031109.tif 000005
【図４】
2015031109.tif 000006
【図５】
2015031109.tif 000007
【図６】
2015031109.tif 000008
【図７】
2015031109.tif 000009
【図８】
2015031109.tif 000010
【図９】
2015031109.tif 000011
【図１０】
2015031109.tif 000012